(57)【要約】【課題】装置本体の大形化を回避しつつ装置本体での選局操作を容易に行い得るテレビジョン装置を提供する。【解決手段】映像を表示する表示部１１と、選局操作によって選局されたチャンネルのテレビ映像Ｐｔを表示部１１に表示させる主制御部とを備えたテレビジョン装置１であって、選局操作用の複数のボタン映像Ｐｂ，Ｐｂ，Ｐｂを表示部１１に表示させる表示制御部と、表示部１１の前面側に配設されて操作ボタン映像Ｐｂ，Ｐｂ，Ｐｂの表示位置に対向する部位が操作されたときに操作ボタン映像Ｐｂに対応する信号を出力するタッチパネル１２とを備え、主制御部は、タッチパネル１２から出力された信号に対応するチャンネルの映像を表示部１１に表示させる。【選択図】        図２
2004235967.tif 000002
【特許請求の範囲】
【請求項１】
映像を表示する表示部と、選局操作によって選局されたチャンネルの映像を前記表示部に表示させる主制御部とを備えたテレビジョン装置であって、
前記選局操作用の複数の操作ボタン映像を前記表示部に表示させる表示制御部と、前記表示部の前面側に配設されて前記操作ボタン映像の表示位置に対向する部位が操作されたときに当該操作ボタン映像に対応する信号を出力するタッチパネルとを備え、
前記主制御部は、前記タッチパネルから出力された前記信号に対応するチャンネルの映像を前記表示部に表示させるテレビジョン装置。
【請求項２】
前記表示部を収容する装置本体とは別体に形成されて選局操作用の複数の操作ボタンを所定の配列パターンで配列した遠隔操作器を備え、
前記表示制御部は、前記各操作ボタンに外観が近似した映像を前記各操作ボタン映像として前記所定の配列パターンと同等の配列パターンで前記表示部に表示させる請求項１記載のテレビジョン装置。
【請求項３】
前記表示制御部は、前記タッチパネルが操作されたときに前記各操作ボタン映像を前記表示部に所定時間表示させる請求項１または２記載のテレビジョン装置。
【発明の詳細な説明】
【０００１】
【発明の属する技術分野】
本発明は、選局操作が可能に構成された操作部と、映像を表示する表示部と、選局操作によって選局されたチャンネルの映像を表示部に表示させる主制御部とを備えたテレビジョン装置に関するものである。
【０００２】
【従来の技術】
今日のテレビジョン装置は、一般的に、リモコン装置（リモートコントロール装置）による各種の遠隔操作が可能に構成されている（一例として、特開平２−２７８９９２号公報で開示されたテレビ本体（１０）およびリモコン（２０））。また、近年では、例えば電源スイッチボタンやアップダウン方式の選局ボタンなどの必要最小限の操作ボタンのみを装置本体に配設して、各チャンネルに個別的に対応させた多くの選局ボタンと、音量設定ボタンおよび画質設定ボタンなどの各種設定用の操作ボタンとを操作し易い配列パターンでリモコン装置に配設したテレビジョン装置が増えつつある。このテレビジョン装置では、装置本体に配設された操作ボタンの数が少ないため、装置本体をその分小形化できることに加えて、装置本体側で操作することなくほぼ全ての操作をリモコン装置によって行うことが可能になっている。
【０００３】
【特許文献１】
特開平２−２７８９９２号公報（第２頁）
【０００４】
【発明が解決しようとする課題】
ところが、従来のテレビジョン装置には、以下の問題点がある。すなわち、このテレビジョン装置では、リモコン装置に各種の操作ボタンが配設されている反面、装置本体には例えば電源ボタンやアップダウン方式の選局ボタンしか配設されていない。この場合、アップダウン方式の選局ボタンは一般的に操作が煩雑なため、このテレビジョン装置には、リモコン装置の所在が置き忘れ等によって不明となったときや、リモコン装置が故障したときには、頻繁に行うチャンネル切替えの度に煩雑な操作を強いられるという問題点がある。
【０００５】
一方、上記の特開平２−２７８９９２号公報で開示されているテレビ本体（１０）およびリモコン（２０）では、この問題点の解決手段として、リモコンが、テレビ本体における探索スイッチ（１５）の操作に応じて電子音を発生するブザー（２４）を備えて構成されている。したがって、所在が不明となったリモコンを電子音を頼りに探索することが可能となっている。しかし、この解決手段では、リモコンが故障したときには、依然として上記の問題点を解決することができない。
【０００６】
本発明は、かかる問題点に鑑みてなされたものであり、装置本体の大形化を回避しつつ装置本体での選局操作を容易に行い得るテレビジョン装置を提供することを主目的とする。
【０００７】
【課題を解決するための手段】
上記目的を達成すべく本発明に係るテレビジョン装置は、映像を表示する表示部と、選局操作によって選局されたチャンネルの映像を前記表示部に表示させる主制御部とを備えたテレビジョン装置であって、前記選局操作用の複数の操作ボタン映像を前記表示部に表示させる表示制御部と、前記表示部の前面側に配設されて前記操作ボタン映像の表示位置に対向する部位が操作されたときに当該操作ボタン映像に対応する信号を出力するタッチパネルとを備え、前記主制御部は、前記タッチパネルから出力された前記信号に対応するチャンネルの映像を前記表示部に表示させる。
【０００８】
このテレビジョン装置では、表示制御部が選局操作用の複数の操作ボタン映像を表示部に表示させ、タッチパネルが、操作ボタン映像の表示位置に対向する部位が操作されたときに、その操作ボタン映像に対応する信号を出力する。この際に、主制御部は、出力された信号に対応するチャンネルの映像を表示部に表示させる。したがって、各チャンネルに個別的に対応させた多くの選局操作用ボタンの配設を不要にできるため、装置本体の大形化を回避することができると共に、良好な操作性で選局操作が可能な装置本体を実現することができる。
【０００９】
また、本発明に係るテレビジョン装置は、上記のテレビジョン装置において、前記表示部を収容する装置本体とは別体に形成されて選局操作用の複数の操作ボタンを所定の配列パターンで配列した遠隔操作器を備え、前記表示制御部は、前記各操作ボタンに外観が近似した映像を前記各操作ボタン映像として前記所定の配列パターンと同等の配列パターンで前記表示部に表示させる。
【００１０】
このテレビジョン装置では、表示制御部が、遠隔操作器の各操作ボタンに外観が近似した操作ボタン映像をその各操作ボタンの配列パターンと同等の配列パターンで表示部に表示させる。このため、利用者は、遠隔操作器を日頃使用してチャンネル切替えを行っていたとしても、違和感なく所望の操作ボタン映像を正確に操作することができる。
【００１１】
また、本発明に係るテレビジョン装置は、上記のテレビジョン装置において、前記表示制御部は、前記タッチパネルが操作されたときに前記各操作ボタン映像を前記表示部に所定時間表示させる。
【００１２】
このテレビジョン装置では、表示制御部は、タッチパネルが操作されたときから所定時間を経過するまで各操作ボタン映像を表示部に表示させる。このため、各操作ボタン映像を表示するための専用のスイッチ等を設けることなく各操作ボタン映像を表示させることができる。また、所定時間を経過した時点で各操作ボタン映像の表示が自動的に停止されるため、各操作ボタン映像の表示を停止させるためのマニュアル操作を不要にすることができる。
【００１３】
【発明の実施の形態】
以下、本発明に係るテレビジョン装置の好適な実施の形態について、添付図面を参照して説明する。図１に示すテレビジョン装置１は、一例として、スクリーンパネルの背面から投射光を投射することによって映像を表示する背面投射型のテレビジョン装置であって、装置本体２およびリモコン３を備えている。この場合、装置本体２は、表示部１１、タッチパネル１２、表示制御部１３、主制御部１４、チューナ１５、パネル信号処理部１６、受光部１７、リモコン信号処理部１８、および音声出力部１９を備えて（収納して）構成されている。また、テレビジョン装置１では、図２に示すリモコン３の操作に加えて、同図に示すタッチパネル１２におけるボタン映像Ｐｂ，Ｐｂ・・の表示位置を指先等でタッチ操作することによっても、選局（チャンネル切替え）、音量設定および画質設定などを行うことが可能になっている。
【００１４】
表示部１１は、図１に示すように、プロジェクタユニット２１およびスクリーンパネル２２を備えて構成されている。プロジェクタユニット２１は、テレビジョン装置１の装置本体２内部における底面側に配設されて、表示制御部１３によって出力された表示用映像信号Ｓｅに基づいて変調した投射光Ｌをスクリーンパネル２２の背面側に向けて投射する。具体的には、プロジェクタユニット２１は、例えば、光源ランプと、光源ランプによって射出された白色光を映像表示可能な投射光Ｌに変調するための変調手段（一例として、液晶パネル、入射側偏光板および射出側偏光板を備えた液晶ライトバルブ）と、投射光Ｌを拡大して投射する投射レンズ（いずれも図示せず）とを備えて構成されている。なお、このテレビジョン装置１では、実際には、プロジェクタユニット２１によって投射された投射光Ｌが反射ミラーによって反射されてスクリーンパネル２２に投射されているが、本発明についての理解を容易とするために、その図示および説明を省略する。スクリーンパネル２２は、プロジェクタユニット２１によって投射された投射光Ｌを受光して拡散または平行光に変換することにより、各種映像を表示する。
【００１５】
タッチパネル１２は、図２に破線で示すように、スクリーンパネル２２の表面（前面側）全体を覆うようにして配設されている。この場合、タッチパネル１２は、一例として、光透過性を有する抵抗膜方式のタッチパネルであって、例えば指先でその表面をタッチ操作した際に、そのタッチ位置を特定可能なパネル信号Ｓｐを出力する。なお、抵抗膜方式のタッチパネルについては、公知の技術のため、その詳細な説明を省略する。
【００１６】
表示制御部１３は、チューナ１５から出力されて主制御部１４によって転送された映像信号Ｓｔを入力して、例えば図２に示すテレビ映像Ｐｔ（この場合、家、木および雲の映像）を表示させるためのＲＧＢ形式の表示用映像信号Ｓｅを生成してプロジェクタユニット２１に出力する。また、表示制御部１３は、リモコン映像Ｐｒの表示を指示する制御信号Ｓｃが主制御部１４から出力されたときには、同図に示すようにテレビ映像Ｐｔとリモコン映像Ｐｒとを重ね合わせた合成映像を表示させるための表示用映像信号Ｓｅを例えば１５秒間出力する。ここで、リモコン映像Ｐｒは、同図に示すように、リモコン３自体の外観に近似させた映像であって、リモコン３の操作部３１に配設された各種操作ボタンＢ，Ｂ・・に外観近似の各ボタン映像（操作ボタン映像）Ｐｂ，Ｐｂ・・がその操作部３１における各操作ボタンＢ，Ｂ・・の配列パターンと同等の配列パターンで配列されている。
【００１７】
主制御部１４は、表示制御部１３、チューナ１５および音声出力部１９などを統括的に制御する。また、主制御部１４は、チューナ１５によって出力された映像信号Ｓｔを表示制御部１３に転送すると共に、チューナ１５によって出力された音声信号Ｓｖを音声出力部１９に転送する。また、主制御部１４は、パネル信号処理部１６またはリモコン信号処理部１８によって操作信号Ｓｏが出力されたときには、操作対象（例えば、表示制御部１３、チューナ１５および音声出力部１９のいずれか）を特定して、その操作対象に制御信号Ｓｃを出力して制御する。さらに、主制御部１４は、リモコン映像Ｐｒを表示させていない状態でタッチパネル１２から操作信号Ｓｏが出力されたときには、上記したリモコン映像Ｐｒの表示を指示する制御信号Ｓｃを表示制御部１３に出力する。
【００１８】
チューナ１５は、制御信号Ｓｃによって指定されたチャンネルのＴＶ放送波を図示しないアンテナを介して受信したＴＶ放送波から抽出して、その映像信号Ｓｔおよび音声信号Ｓｖを出力する。パネル信号処理部１６は、パネル信号Ｓｐに基づいてタッチパネル１２上におけるタッチ位置（操作位置）を特定すると共に、特定したタッチ位置に予め対応させられた操作内容の操作信号Ｓｏ、つまり、そのボタン映像Ｐｂに予め付与されている操作内容の操作信号Ｓｏを主制御部１４に出力する。また、パネル信号処理部１６は、リモコン映像Ｐｒを表示させていない状態において、タッチパネル１２からパネル信号Ｓｐが出力された際には、タッチパネル１２が操作されたことを意味する操作信号Ｓｏを主制御部１４に出力する。
【００１９】
受光部１７は、リモコン３から出力された赤外線信号Ｓｉを受光して操作されたリモコン３の操作ボタンＢを特定可能な電気信号に光電変換する。リモコン信号処理部１８は、受光部１７によって光電変換された電気信号に基づいて操作ボタンＢを特定すると共に、特定した操作ボタンＢに予め対応させられた操作内容の操作信号Ｓｏを主制御部１４に出力する。音声出力部１９は、例えばアンプおよびスピーカー（いずれも図示せず）を備えて構成され、主制御部１４によって転送された音声信号Ｓｖを増幅して放音する。
【００２０】
リモコン３は、本発明における遠隔操作器に相当し、図２に示すように、装置本体２とは別体に形成されて、操作部３１および発光部３２を備えている。操作部３１は、選局（チャンネル切替え）、音量設定、画質設定などの各種操作を行うための複数の操作ボタンＢ，Ｂ・・が配列されて構成され、操作ボタンＢが操作されたときに、操作ボタンＢを特定可能な信号を出力する。発光部３２は、操作部３１から出力された信号を赤外線信号Ｓｉに変換して発光する。
【００２１】
次に、テレビジョン装置１の全体的な動作について、図面を参照して説明する。このテレビジョン装置１では、装置本体２に配設された電源スイッチボタンが投入された際に、プロジェクタユニット２１に電源が供給されて、光源ランプが白色光を射出する。また、チューナ１５は、電源が直前に切断されたときに選局されていたチャンネルの映像信号Ｓｔおよび音声信号Ｓｖを出力する。
【００２２】
次に、表示制御部１３は、チューナ１５によって出力されて主制御部１４によって転送された映像信号Ｓｔに基づいてＲＧＢ形式の表示用映像信号Ｓｅを生成してプロジェクタユニット２１に出力する。これに応じて、プロジェクタユニット２１の変調手段が光源ランプによって射出された白色光を映像表示用の投射光Ｌに変調し、投射レンズが投射光Ｌを拡大する。これにより、投射光Ｌがスクリーンパネル２２に投射されてテレビ映像Ｐｔが表示され、透明性を有するタッチパネル１２を透してテレビ映像Ｐｔが視認される。また、音声出力部１９は、チューナ１５によって出力されて主制御部１４によって転送された音声信号Ｓｖに基づく音声を放音する。
【００２３】
次に、リモコン３またはタッチパネル１２を使用してチャンネル切替えを行う際のテレビジョン装置１の動作について説明する。まず、リモコン３を使用してチャンネル切替えを行う際には、操作部３１における選局用の操作ボタンＢ，Ｂ・・（図２に示す１〜１２の数字が付された操作ボタンＢ，Ｂ・・）の中から希望のチャンネルに対応する操作ボタンＢを操作する。これに応じて、操作部３１は、操作された操作ボタンＢの特定が可能な信号を出力する。次に、発光部３２が、その信号を赤外線信号Ｓｉに変換して発光し、受光部１７が赤外線信号Ｓｉを受光して電気信号に光電変換して出力する。
【００２４】
次いで、リモコン信号処理部１８は、操作された操作ボタンＢを特定すると共に、特定した操作ボタンＢに対応するチャンネルを指定したチャンネル切替用の操作信号Ｓｏを生成して主制御部１４に出力する。次に、主制御部１４は、そのチャンネルに切り替えるための制御信号Ｓｃをチューナ１５に出力する。これに応じて、チューナ１５は、それまでに選局していたチャンネルに代えて、制御信号Ｓｃで指定されたチャンネルを選局して映像信号Ｓｔおよび音声信号Ｓｖを出力する。以下、上記した動作と同様にして、表示制御部１３が表示用映像信号Ｓｅを出力し、プロジェクタユニット２１が投射光Ｌを投射することにより、チャンネル切替えによって新たに選局されたチャンネルのテレビ映像Ｐｔがスクリーンパネル２２に表示されると共に、そのチャンネルの音声が音声出力部１９によって放音される。
【００２５】
一方、タッチパネル１２を使用してチャンネル切替えを行う際には、まず、タッチパネル１２における任意の部位をタッチ操作する。この際に、タッチパネル１２は、パネル信号Ｓｐをパネル信号処理部１６に出力する。これに応じて、パネル信号処理部１６は、操作信号Ｓｏを主制御部１４に出力する。次に、主制御部１４は、リモコン映像Ｐｒを表示させていない状態において操作信号Ｓｏ（この時点ではタッチ操作されたことのみを意味する信号）が出力されたときには、リモコン映像Ｐｒの表示を指示する制御信号Ｓｃを表示制御部１３に出力する。したがって、表示制御部１３は、テレビ映像Ｐｔとリモコン映像Ｐｒとを重ね合わせた合成映像を表示させるための表示用映像信号Ｓｅを生成して例えば１５秒間出力する。これにより、図２に示すように、テレビ映像Ｐｔとリモコン映像Ｐｒとを重ね合わせた合成映像がスクリーンパネル２２に表示される。この場合、リモコン映像Ｐｒ（各ボタン映像Ｐｂ，Ｐｂ・・）は、同図に示すように、例えばスクリーンパネル２２の右側に大きく表示される。また、各ボタン映像Ｐｂ，Ｐｂ・・は、リモコン３の各操作ボタンＢ，Ｂ・・の配列パターンと同等（この例では同一）に配列されて表示される。
【００２６】
次いで、選局用のボタン映像Ｐｂ，Ｐｂ・・（図２に示す１〜１２の数字が付されたボタン映像Ｐｂ，Ｐｂ・・）の中から希望のチャンネルに対応するボタン映像Ｐｂの表示位置に対向するタッチパネル１２上の部位をタッチ操作する。この場合、各ボタン映像Ｐｂ，Ｐｂ・・が大きく表示され、しかも各ボタン映像Ｐｂ，Ｐｂ・・の形状や配列パターンがリモコン３における各操作ボタンＢ，Ｂ・・の形状や配列パターンと同一のため、ボタン映像Ｐｂの誤認が防止されて、リモコン３を操作するのと同様に良好な操作性が確保される。続いて、タッチパネル１２は、タッチ位置を特定可能なパネル信号Ｓｐを出力する。次に、パネル信号処理部１６は、パネル信号Ｓｐに基づいてタッチパネル１２上におけるタッチ位置を特定すると共に、特定したタッチ位置に対応させられた操作内容の操作信号Ｓｏを生成して主制御部１４に出力する。
【００２７】
次に、主制御部１４は、出力された操作信号Ｓｏに対応するチャンネルに切り替えるための制御信号Ｓｃをチューナ１５に出力する。これに応じて、チューナ１５は、制御信号Ｓｃによって指定されたチャンネルを選局して映像信号Ｓｔおよび音声信号Ｓｖを出力する。次いで、表示制御部１３は、新たに選局されたテレビ映像Ｐｔとリモコン映像Ｐｒとを重ね合わせた合成映像を表示させるための表示用映像信号Ｓｅを生成して出力する。続いて、プロジェクタユニット２１が投射光Ｌを投射する。これにより、チャンネル切替操作によって新たに選局されたチャンネルのテレビ映像Ｐｔと、リモコン映像Ｐｒとを重ね合わせた合成映像が、スクリーンパネル２２に表示される。また、そのチャンネルの音声が、音声出力部１９によって放音される。次に、主制御部１４は、操作信号Ｓｏがパネル信号処理部１６によって最後に出力されてから１５秒を経過した時点で、リモコン映像Ｐｒの表示停止を指示する制御信号Ｓｃを表示制御部１３に出力する。この結果、表示制御部１３は、テレビ映像Ｐｔとリモコン映像Ｐｒとを重ね合わせた合成映像に代えて、テレビ映像Ｐｔのみを表示させるための表示用映像信号Ｓｅを出力する。したがって、その時点でスクリーンパネル２２上からリモコン映像Ｐｒの表示が停止されてテレビ映像Ｐｔのみが表示される。
【００２８】
このように、このテレビジョン装置１によれば、タッチパネル１２における選局用のボタン映像Ｐｂの表示位置に対向する部位がタッチ操作されたときにタッチパネル１２から出力されたパネル信号Ｓｐに基づく制御信号Ｓｃを出力してボタン映像Ｐｂに対応するチャンネルのテレビ映像Ｐｔを表示部１１に表示することにより、各チャンネルに個別的に対応させた多くの選局操作用ボタンの装置本体２への配設を不要にできるため、装置本体２の大形化を回避することができると共に、良好な操作性で選局操作が可能な装置本体２を実現することができる。また、選局操作用の各ボタン映像Ｐｂを大きく表示することができるため、ボタン映像Ｐｂを明確に認識させることができる結果、利用者は、意図したボタン映像Ｐｂの表示位置を正確にタッチ操作することができる。
【００２９】
また、リモコン３の操作ボタンＢに外観近似のボタン映像Ｐｂをその操作ボタンＢの配列パターンと同等の配列パターンで表示することにより、利用者は、リモコン３を日頃使用してチャンネル切替えを行っていたとしても、違和感なく所望のボタン映像Ｐｂを正確に操作することができる。
【００３０】
また、タッチパネル１２がタッチ操作されたときにリモコン映像Ｐｒを例えば１５秒間表示することにより、専用のスイッチ等を設けることなく各ボタン映像Ｐｂを表示させることができる。また、１５秒を経過した時点でボタン映像Ｐｂの表示が自動的に停止されるため、各ボタン映像Ｐｂの表示を停止させるためのマニュアル操作を不要にすることができる。
【００３１】
なお、本発明は、上記した本発明の実施の形態に限定されない。例えば、本発明の実施の形態では、チャンネル切替えを行う際のリモコン３およびタッチパネル１２の使用方法を説明したが、音量や画質などの各種の設定操作についても同様の操作方法で操作することができる。また、本発明の実施の形態では、プロジェクタユニット２１およびスクリーンパネル２２を備えて表示部１１を構成した例について説明したが、表示部としてＣＲＴや液晶表示パネルを採用することもできる。
【００３２】
さらに、本発明の実施の形態では、各ボタン映像Ｐｂを１５秒間表示する例について説明したが、表示時間はこれに限定されず、任意の時間に設定することができる。また、利用者によって表示時間を変更できる構成を採用することもできる。さらに、各ボタン映像Ｐｂが表示されている状態でタッチパネル１２の所定位置をタッチ操作したときにその表示を停止する構成を採用することもできる。また、タッチパネル１２のタッチ操作に代えて、例えば装置本体２にＯＮ／ＯＦＦスイッチを配設して、そのスイッチ操作によって各ボタン映像Ｐｂの表示および表示停止を行わせることもできる。さらに、電源スイッチの投入に連動して各ボタン映像Ｐｂの表示を開始し、所定時間の経過時等にその表示を停止する構成を採用することもできる。
【００３３】
また、図３に示すテレビジョン装置４１のように、各チャンネルの数字（同図に示す１〜１２の数字）を表示するチャンネル表示映像Ｐｃ，Ｐｃ・・をリモコン３における操作ボタンＢ，Ｂ・・の配列パターンと同等の配列パターンで表示させることもできる。この場合、タッチパネル１２上におけるチャンネル表示映像Ｐｃの表示部位をタッチ操作することにより、上記したテレビジョン装置１と同様にして、装置本体４２の大形化を回避することができると共に、良好な操作性で選局操作が可能な装置本体２４を実現することができる。
【図面の簡単な説明】
【図１】テレビジョン装置１の構成を示すブロック図である。
【図２】装置本体２およびリモコン３の正面図である。
【図３】他の実施の形態に係るテレビジョン装置４１の正面図である。
【符号の説明】
１，４１  テレビジョン装置、２，４２  装置本体、３  リモコン、１１  表示部、１２  タッチパネル、１３  表示制御部、１４  主制御部、Ｂ  操作ボタン、Ｐｂ  ボタン映像、Ｐｃ  チャンネル表示映像、Ｐｔ  テレビ映像、Ｓｐ  パネル信号、Ｓｔ  映像信号
【図１】
2004235967.tif 000003
【図２】
2004235967.tif 000004
【図３】
2004235967.tif 000005